(57)【要約】【解決手段】剃刀ヘッド２１がホルダ２３に対し首振り方向Ｒへ押圧部２７の弾性力に抗して回動する複数のＴ型剃刀２０を収容する剃刀パッケージにおいて、係止孔１２の表側係止部２８及び裏側係止部２９により剃刀ヘッド２１を挟んで、剃刀パッケージの運搬時等に剃刀ヘッド２１の動きを剃刀ヘッド２１ごとに規制することができる。また、係止孔１０に係入された複数のホルダ２３を係止孔１０の上端側係止部３０及び下端側係止部３１により挟んで、剃刀パッケージの運搬時等にホルダ２３の動きを規制することができる。【効果】押圧部２７における良好な弾性を維持し、Ｔ型剃刀２０の製造当初の首振り感触を得ることができる。【選択図】図３
2010105725.tif 000002
【特許請求の範囲】
【請求項１】
刃体を有する剃刀ヘッドがホルダに対し相対移動し得る剃刀を複数収容することができる剃刀パッケージにおいて、各剃刀の剃刀ヘッドとホルダとの相対移動を規制する移動規制部を設けたことを特徴とする剃刀パッケージ。
【請求項２】
前記各剃刀は剃刀ヘッドの刃体の刃先の延設方向をホルダの長手方向に対し直交させたＴ型剃刀であって、前記移動規制部はその延設方向に対し直交する方向を含む面に沿う首振り方向へ剃刀ヘッドとホルダとが付勢手段による弾性力に抗して相対移動するのを規制することを特徴とする請求項１に記載の剃刀パッケージ。
【請求項３】
前記移動規制部は、ホルダに対する剃刀ヘッドの移動を規制するように剃刀ヘッドに係止される剃刀ヘッド係止部と、剃刀ヘッドに対するホルダの移動を規制するようにホルダに係止されるホルダ係止部とを有していることを特徴とする請求項１または請求項２に記載の剃刀パッケージ。
【請求項４】
前記剃刀ヘッドが係入されて係止される剃刀ヘッド係止部を有する係止孔は、各剃刀ごとに互いに分離して形成されていることを特徴とする請求項３に記載の剃刀パッケージ。
【請求項５】
前記剃刀ヘッド係止部は、剃刀ヘッドが係入される係止孔で、剃刀ヘッドの移動方向における表裏両側のうち、刃体の刃先が露出する表側を係止する表側係止部と、ホルダの頭部に面する裏側を係止する裏側係止部とを有し、その表側係止部と裏側係止部とにより剃刀ヘッドを挟んで剃刀ヘッドの移動を規制することを特徴とする請求項３または請求項４に記載の剃刀パッケージ。
【発明の詳細な説明】
【技術分野】
【０００１】
本発明は、刃体を有する剃刀ヘッドがホルダに対し相対移動し得る剃刀を複数収容することができる剃刀パッケージに関するものである。
【背景技術】
【０００２】
従来、下記特許文献１にかかるＴ型剃刀用包装容器では、複数のＴ型剃刀のホルダーをホルダー支持孔に挿入するとともに複数のＴ型剃刀のヘッドをヘッド支持孔に挿入して包装容器に対する各Ｔ型剃刀の動きを規制している。
【特許文献１】実公昭５９−２７４２２号公報
【発明の開示】
【発明が解決しようとする課題】
【０００３】
上記特許文献１では、複数のＴ型剃刀のホルダーを一つのホルダー支持孔で互いに接触させた状態で並べているばかりでなく、複数のＴ型剃刀のヘッドも一つのヘッド支持孔で互いに接触させた状態で並べているので、例えばヘッドがホルダーに対しばねの弾性力に抗して首振りし得るＴ型剃刀を包装容器に収容する場合には、包装容器の運搬時や展示時等にヘッドに与えられる外力によりヘッドが不用意に動いてばねに対し単数回または頻繁に生じる負荷やばねの損傷等により例えばばねが塑性変形してばねの弾性性能が劣化し、Ｔ型剃刀の製造当初の首振り感触を得られなくなるおそれがあった。なお、剃刀ヘッドとホルダとの間でロック機構を設けてそれらの間の相対移動を規制することができるＴ型剃刀も周知になっているが、そのロック機構が複雑になって高価なものになる問題があり、安価なＴ型剃刀を複数収容することができる剃刀パッケージには適していない。
【０００４】
この発明は、複数の剃刀を収容する剃刀パッケージにおいて、剃刀ヘッドとホルダとの相対移動を規制して剃刀の使用感触を維持することを目的としている。
【課題を解決するための手段】
【０００５】
後記実施形態の図面（図１（ａ）及び図２〜４に示す第１実施形態、図５に示す第２実施形態、図１（ｂ）及び図６（ａ）に示す第３実施形態、図１（ｃ）及び図６（ｂ）に示す第４実施形態）の符号を援用して本発明を説明する。
【０００６】
請求項１の発明（第１〜４実施形態に対応）にかかる剃刀パッケージ１においては、刃体を有する剃刀ヘッド２１がホルダ２３に対し相対移動し得る剃刀２０を複数収容することができ、各剃刀２０の剃刀ヘッド２１とホルダ２３との相対移動を規制する移動規制部１２，３７，１０を設けている。例えば、移動規制部としては、ホルダ２３に対する剃刀ヘッド２１の移動を規制するように剃刀ヘッド２１に係止される剃刀ヘッド係止部１２，３７を各剃刀ヘッド２１ごとに設けている。請求項１の発明では、剃刀ヘッド２１とホルダ２３との相対移動を規制して製造時の相対移動性能が保たれ、剃刀２０の使用感触を維持することができる。
【０００７】
請求項１の発明を前提とする請求項２の発明（第１〜４実施形態に対応）において、前記各剃刀は剃刀ヘッド２１の刃体の刃先の延設方向Ｘ２１をホルダ２３の長手方向Ｙ２３に対し直交させたＴ型剃刀２０であって、前記移動規制部はその刃先延設方向Ｘ２１に対し直交する方向を含む面Ｑに沿う首振り方向Ｒへ剃刀ヘッド２１とホルダ２３とが付勢手段２７による弾性力に抗して相対移動するのを規制する。請求項２の発明では、剃刀ヘッド２１とホルダ２３とが所定の首振り方向Ｒへ弾性力に抗して相対移動するＴ型剃刀２０を収容する剃刀パッケージ１において、剃刀パッケージ１の運搬時等に剃刀ヘッド２１の動きを規制して良好な弾性を維持し、Ｔ型剃刀２０の製造当初の首振り感触を得ることができる。
【０００８】
請求項１または請求項２の発明を前提とする請求項３の発明（第１〜４実施形態に対応）において、前記移動規制部は、ホルダ２３に対する剃刀ヘッド２１の移動を規制するように剃刀ヘッド２１に係止される剃刀ヘッド係止部１２，３７と、剃刀ヘッド２１に対するホルダ２３の移動を規制するようにホルダ２３に係止されるホルダ係止部１０とを有している。請求項３の発明では、剃刀ヘッド係止部１２，３７とホルダ係止部１０とを別々に設けて剃刀ヘッド２１の動き及びホルダ２３の動きをそれぞれ規制して、Ｔ型剃刀２１の製造当初の首振り感触をより一層良好に維持することができる。
【０００９】
請求項３の発明を前提とする請求項４の発明（第１〜２実施形態に対応）において、前記剃刀ヘッド２１が係入されて係止される剃刀ヘッド係止部２８，２９を有する係止孔１２は、各剃刀２０ごとに互いに分離して形成されている。請求項４の発明では、剃刀ヘッド２１の動きを剃刀ヘッド２１ごとに係止孔１２により規制することができる。
【００１０】
請求項３または請求項４の発明を前提とする請求項５の発明（第１〜３実施形態に対応）において、前記剃刀ヘッド係止部は、剃刀ヘッド２１が係入される係止孔１２で、剃刀ヘッド２１の移動方向Ｒにおける表裏両側のうち、刃体の刃先が露出する表側２１ａを係止する表側係止部２８と、ホルダ２３の頭部２４に面する裏側２１ｂを係止する裏側係止部２９とを有し、その表側係止部２８と裏側係止部２９とにより剃刀ヘッド２１を挟んで剃刀ヘッド２１の移動を規制する。請求項５の発明では、係止孔１２の表側係止部２８及び裏側係止部２９により剃刀ヘッド２１の動きを剃刀ヘッド２１ごとに規制することができる。
【００１１】
次に、請求項以外の技術的思想について実施形態の図面の符号を援用して説明する。
請求項１の発明を前提とする第６の発明（第１，３，４実施形態に対応）において、前記各剃刀は剃刀ヘッド２１の刃体の刃先の延設方向Ｘ２１をホルダ２３の長手方向Ｙ２３に対し直交させたＴ型剃刀２０であって、その刃先延設方向Ｘ２１に沿う軸線２６ａを中心に剃刀ヘッド２１をホルダ２３の頭部２４に対し回動可能に支持するとともに、ホルダ２３の頭部２４には剃刀ヘッド２１を回動方向Ｒへ弾性力に抗して首振り可能に押圧する付勢手段としての押圧部２７を設け、前記移動規制部１２，１０はこの軸線２６ａを中心とする回動による剃刀ヘッド２１とホルダ２３との相対移動を規制する。第６の発明では、剃刀ヘッド２１とホルダ２３とが所定の首振り方向Ｒへ押圧部２７による弾性力に抗して相対回動するＴ型剃刀２０を収容する剃刀パッケージ１において、剃刀パッケージ１の運搬時等に剃刀ヘッド２１の動きを規制して良好な弾性を維持し、Ｔ型剃刀２０の製造当初の首振り感触を得ることができる。
【００１２】
請求項１の発明を前提とする第７の発明（第２実施形態に対応）において、前記各剃刀は剃刀ヘッド２１の刃体の刃先の延設方向Ｘ２１をホルダ２３の長手方向Ｙ２３に対し直交させたＴ型剃刀２０であって、ホルダ２３の頭部２４には付勢手段としての弾性可撓部３４を介して剃刀ヘッド２１を支持してその刃先延設方向Ｘ２１に対し直交する方向を含む面Ｑに沿う方向へ剃刀ヘッド２１を首振りし得るように弾性可撓部３４が弾性力に抗して撓み、前記移動規制部１２，１０はこの弾性可撓部３４の撓みによる剃刀ヘッド２１とホルダ２３との相対移動を規制する。第７の発明では、剃刀ヘッド２１とホルダ２３とが所定の首振り方向Ｒへ弾性可撓部３４による弾性力に抗して相対移動するＴ型剃刀２０を収容する剃刀パッケージ１において、剃刀パッケージ１の運搬時等に剃刀ヘッド２１の動きを規制して良好な弾性を維持し、Ｔ型剃刀２０の製造当初の首振り感触を得ることができる。
【００１３】
請求項３の発明を前提とする第８の発明（第３実施形態に対応）において、前記剃刀ヘッド２１が係入されて係止される剃刀ヘッド係止部２８，２９を有する係止孔１２は、各剃刀２０間で互いに連通して一連に形成されている。第８の発明では、剃刀ヘッド２１を係止孔１２に係入し易い。
【００１４】
請求項３または請求項４または請求項５または第８の発明を前提とする第９の発明（第１〜４実施形態に対応）において、前記ホルダ係止部は、各剃刀２０のホルダ２３が互いに接触して並んで係入されるように各剃刀２０間で互いに連通して一連に形成された係止孔１０で、各剃刀２０のホルダ２３の並設方向における両端側のうち、一端側のホルダ  ２３を係止する一端側係止部３０と、他端側のホルダ２３を係止する他端側係止部３１とを有し、その一端側係止部３０と他端側係止部３１とにより各ホルダ３０を挟んで各ホルダ２３の移動を規制する。第９の発明では、ホルダ２３を係止孔１０に係入し易い。
【００１５】
請求項３または請求項４または請求項５または第８の発明または第９の発明を前提とする第１０の発明（第１〜４実施形態に対応）において、前記移動規制部の剃刀ヘッド係止部１２，３７及びホルダ係止部１０は付勢手段２７による弾性力が最小となる中立位置Ｐで剃刀ヘッド２１を静止させるように剃刀ヘッド２１とホルダ２３との相対移動を規制する。第１０の発明では、付勢手段２７の弾性力が最小となる中立位置Ｐで規制されるので、付勢手段２７に与えられる継続的負荷が小さくなって良好な弾性を維持することができる。
【００１６】
請求項３または請求項４または請求項５または第８の発明または第９の発明または第１０の発明を前提とする第１１の発明（第１〜４実施形態に対応）において、前記各剃刀２０の剃刀ヘッド２１と、前記各剃刀２０のホルダ２３とは、それぞれ、ホルダ２３に対する剃刀ヘッド２１の首振り方向Ｒを含む面Ｑに沿って並んでいる。第１１の発明では、複数の剃刀２０を剃刀パッケージ１にコンパクトにまとめて収容することができる。
【００１７】
請求項３から請求項５のうちいずれか一つの請求項の発明、または、第８〜１１の発明のうちいずれか一つの発明を前提とする第１２の発明（第１〜４実施形態に対応）において、前記各剃刀２０を複数の壁部２，４，５，１５間の収容室１７で並べて収容する環状壁１６を備え、この環状壁１６は、前記剃刀ヘッド係止部１２，３７を設けた壁部４，５，１５と、前記各剃刀２０のホルダ２３における頭部２４に対する反対側の尻部２５側を係止するホルダ係止部１０を設けた壁部２とを有している。第１２の発明では、剃刀ヘッド係止部１２，３７とホルダ係止部１０とを環状壁１６に簡単に形成することができる。
【００１８】
第１２の発明を前提とする第１３の発明（第１〜３実施形態に対応）において、前記剃刀ヘッド係止部１２は相対向する両壁部４，５に設けられ、前記環状壁１６は、この剃刀ヘッド係止部１２を有する両壁部４，５と、この剃刀ヘッド係止部１２を有する両壁部４，５間で前記ホルダ係止部１０を有する壁部２と、この剃刀ヘッド係止部１２を有する両壁部４，５間でこのホルダ係止部１０を有する壁部２に対向する壁部１５とを備えている。第１３の発明では、剃刀ヘッド係止部１２とホルダ係止部１０とを環状壁１６に簡単に形成することができる。
【００１９】
第１２の発明を前提とする第１４の発明（第４実施形態に対応）において、前記剃刀ヘッド係止部３７は前記ホルダ係止部１０を有する壁部２に対向する壁部１５に設けられ、前記環状壁１６は、このホルダ係止部１０を有する壁部２と、この剃刀ヘッド係止部３７を有する壁部１５と、このホルダ係止部１０を有する壁部２とこの剃刀ヘッド係止部３７を有する壁部１５との間で相対向する両壁部４，５とを備えている。第１４の発明では、剃刀ヘッド係止部３７とホルダ係止部１０とを環状壁１６に簡単に形成することができる。
【００２０】
第１２の発明を前提とする第１５の発明（第１〜４実施形態に対応）において、前記環状壁１６は、ホルダ係止部１０を有する第一壁部２と、この第一壁部２に対向する第二壁部１５と、この第一壁部２とこの第二壁部１５との間で相対向する第三壁部４及び第四壁部５とを備え、第一壁部２で剃刀ヘッド２１の刃体の刃先の延設方向Ｘ２１に沿う寸法Ｗ２よりも、第二壁部１５でその刃先延設方向Ｘ２１に沿う寸法Ｗ１５を大きく設定し、この第三壁部４と第四壁部５との間におけるその刃先延設方向Ｘ２１に沿う間隔Ｌを、第一壁部２で剃刀ヘッド２１の刃体の刃先の延設方向Ｘ２１に沿う寸法Ｗ２よりも大きく設定するとともに、第二壁部１５でその刃先延設方向Ｘ２１に沿う寸法Ｗ１５よりも小さく設定した。第１５の発明では、ホルダ係止部１０を有する第一壁部２側をホルダ２３に合わせて狭くして剃刀パッケージ１をコンパクトにすることができる。
【００２１】
第１２〜１５の発明のうちいずれか一つの発明を前提とする第１６の発明（第１〜４実施形態に対応）において、前記環状壁１６はその環状方向で互いに分離されて着脱可能な両端縁１ｃ，１ｄを有している。第１６の発明では、環状壁１６を展開状態で形成することができるので、それを環状方向で巻いて環状壁１６を容易に形成することができる。
【００２２】
第１２〜１６の発明のうちいずれか一つの発明を前提とする第１７の発明（第１〜４実施形態に対応）において、前記ホルダ係止部１０を有する壁部２から突出するホルダ２３の尻部２５側は、前記環状壁１６に設けた載置面を含む面上に位置する当接部２３ａを有している。第１７の発明では、環状壁１６の載置面とホルダ２３の尻部２５側との間で剃刀パッケージ１を安定的に載置することができる。
【発明の効果】
【００２３】
本発明は、複数の剃刀２０を収容する剃刀パッケージ１において、剃刀ヘッドとホルダとの間で複雑なロック機構を設けることなく、剃刀ヘッド２１とホルダ２３との相対移動を規制して剃刀２の使用感触を維持することができる。
【発明を実施するための最良の形態】
【００２４】
まず、本発明の第１実施形態にかかる剃刀パッケージについて図１（ａ）及び図２〜４を参照して説明する。
図１（ａ）に示す展開状態の剃刀パッケージ１は、上端縁１ａと下端縁１ｂと左端縁１ｃと右端縁１ｄとで囲まれた略長方形状（上端縁１ａ及び下端縁１ｂの長さは約２３０ｍｍ、左端縁１ｃ及び右端縁１ｄの長さは約１００ｍｍ）をなす一枚の紙シートにより成形され、横方向中央で縦方向に延びて上端縁１ａと下端縁１ｂとの間に形成された壁部２と、この壁部２の横方向両側に形成された折り目線３から横方向両側に延びて上端縁１ａと下端縁１ｂとの間に形成された壁部４，５と、これらの壁部４，５の横方向端に形成された折り目線６，７から横方向に左端縁１ｃ及び右端縁１ｄまで延びて上端縁１ａと下端縁１ｂとの間に形成された壁部８，９とを有している。前記壁部２には両折り目線３間で縦方向へ一連に延びる略長方形状の係止孔１０が移動規制部であるホルダ係止部として下端縁１ｂ寄りで上端縁１ａ及び下端縁１ｂに対し間隔をあけて貫設されている。前記両壁部４，５には円形状の吊下孔１１が係止孔１０の斜め上方で両折り目線３から横方向へ等距離だけ離れて貫設されている。この両壁部４，５には折り目線６，７から横方向へ長孔状に延びる複数の係止孔１２が移動規制部である剃刀ヘッド係止部として折り目線６，７に沿って並設されて等間隔で互いに分離されている。この両折り目線６，７のうち壁部９の折り目線７には上端縁１ａ及び下端縁１ｂと係止孔１２との間で切込み１３が形成されている。壁部８の左端縁１ｃには上端縁１ａ及び下端縁１ｂの付近で舌片１４が形成されている。
【００２５】
図２（ａ）（ｂ）に示すように、前記展開状態の剃刀パッケージ１において、壁部２の両折り目線３で両壁部４，５を前後方向Ｘで相対向するように折り曲げると、互いに分離された両壁部８，９も前後方向Ｘで相対向する。次に、図３（ａ）（ｂ）に示すように、折り目線６，７でこの両壁部８，９を折り曲げて内側の壁部９に外側の壁部８を重ね合わせるとともに舌片１４を切込み１３に着脱可能に係入すると、互いに重ね合わされた両壁部８，９からなる左壁部１５が壁部２に対し左右方向Ｙで相対向し、前壁部４と後壁部５と左壁部１５と右壁部２とで環状壁１６が上下方向Ｚへ開放されて形成され、その環状壁１６内には前壁部４と後壁部５と左壁部１５と右壁部２とで囲まれた収容室１７が形成される。なお、切込み１３と舌片１４とを、または、内側の壁部９と外側の壁部８とを互いに接着剤や両面テープにより貼着して重ね合わせてもよい。
【００２６】
この環状壁１６においては、前記前壁部４の各係止孔１２と後壁部５の各係止孔１２とが、また、前記前壁部４の吊下孔１１と後壁部５の吊下孔１１とが、それぞれ前後方向Ｘで収容室１７を介して相対向し、環状方向で巻かれた上端縁１ａの内側で収容室１７を上方へ開放する上開口１８が形成されるとともに、環状方向で巻かれた下端縁１ｂの内側で収容室１７を下方へ開放する下開口１９が形成される。この環状壁１６の左壁部１５においては、外側の壁部８の折り目線６と内側の壁部９の右端縁１ｄとが、また、内側の壁部９の折り目線７と外側の壁部８の左端縁１ｃとが、それぞれ重合され、前記展開状態の剃刀パッケージ１で互いに分離された左端縁１ｃと右端縁１ｄとを左壁部１５として互いに連結することができる。この環状壁１６の上開口１８及び下開口１９において、右壁部２の前後方向寸法Ｗ２（約１２ｍｍ）よりも左壁部１５の前後方向寸法Ｗ１５（約２５ｍｍ）を大きく設定し、前後両壁部４，５間の間隔Ｌが右壁部２から左壁部１５に向うに従い次第に広がるように前後両壁部４，５を傾斜させて前後両壁部４，５間の間隔Ｌを右壁部２の前後方向寸法Ｗ２よりも大きく設定するとともに左壁部１５の前後方向寸法Ｗ１５よりも小さく設定している。この環状壁１６の高さＨは、展開状態の剃刀パッケージ１における左端縁１ｃ及び右端縁１ｄの長さ（約１００ｍｍ）と略等しく設定されている。このような環状壁１６の形態では、前後方向寸法Ｗ２（約１２ｍｍ）の右壁部２側を上向きにして把持し易くなるとともに、前後方向寸法Ｗ１５（約２５ｍｍ）の左壁部１５側を上向きにして把持した際には落としにくい。なお、前後両壁部４，５については、図示するように平坦に傾斜させるばかりでなく、収容室１７側へ凹んだり収容室１７側から膨らんだりするように傾斜させてもよい。
【００２７】
図２（ｂ）及び図３（ａ）（ｂ）に示すように、前記環状壁１６内の収容室１７に保管されるＴ型剃刀２０においては、剃刀ヘッド本体２２ａとキャップ２２ｂとからなる剃刀ヘッド２１の表側２１ａで露出する刃体（図示せず）の刃先（図示せず）の延設方向Ｘ２１が、ホルダ２３の頭部２４と尻部２５とを結ぶ長手方向Ｙ２３に対し直交し、その刃先延設方向Ｘ２１に沿う軸線２６ａを中心に剃刀ヘッド２１がホルダ２３の頭部２４に対し両支持腕２６により回動方向Ｒへ回動可能に支持されているとともに、ホルダ２３の頭部２４にはその頭部２４に面する剃刀ヘッド２１の裏側２１ｂを押圧する付勢手段としての押圧部２７が支持されている。この回動方向Ｒの両側向きのうち片側向きの回動向きＲＦへ押圧部２７の弾性力により剃刀ヘッド２１が回動して押圧部２７による弾性力が最小となる中立位置Ｐで静止する。その中立位置Ｐから剃刀ヘッド２１が回動向きＲＦに対する反対向きＲＢへ押圧部２７の弾性力に抗して所定回動範囲だけ首振りし得る。
【００２８】
このＴ型剃刀２０は、図２（ａ）に示すように剃刀パッケージ１を展開状態から組み付ける途中状態で、図２（ｂ）に示すように収容され、その後に図３（ａ）（ｂ）に示すように左壁部１５（両壁部８，９）が閉じられて環状壁１６となる。その際、ホルダ２３がその尻部２５側から右壁部２の係止孔１０に係入されて外側へ突出するとともに、剃刀ヘッド２１の刃先延設方向Ｘ２１の両側が前後両壁部４，５の係止孔１２に係入されて外側へ突出し、各剃刀ヘッド２１が互いに分離して首振り方向（回動方向Ｒ）を含む面Ｑに沿って並ぶとともに、ホルダ２３が互いに接触して首振り方向（回動方向Ｒ）を含む面Ｑに沿って並ぶ。各剃刀ヘッド２１が係入された各係止孔１２においては、剃刀ヘッド２１の首振り方向（回動方向Ｒ）における表裏両側２１ａ，２１ｂのうち表側２１ａを係止する表側係止部２８と裏側２１ｂを係止する裏側係止部２９とが剃刀ヘッド係止部として上下方向Ｚで相対向して形成され、その表側係止部２８と裏側係止部２９とにより剃刀ヘッド２１が中立位置Ｐで挟持されてホルダ２３に対する剃刀ヘッド２１の首振りが規制される。この各係止孔１２の表側係止部２８及び裏側係止部２９は、剃刀ヘッド２１の剃刀ヘッド本体２２ａとキャップ２２ｂとのうち少なくとも一方に対し接触して係止されるかまたは若干の隙間をあけて係止可能に面する。各ホルダ２３が係入された係止孔１０においては、ホルダ２３の並設方向における上下両端側のうち、上端側のホルダ２３を係止する上端側係止部３０と、下端側のホルダ２３を係止する下端側係止部３１とがホルダ係止部として形成され、その上端側係止部３０と下端側係止部３１とにより各ホルダ２３が挟持されて剃刀ヘッド２１に対するホルダ２３の回動が規制される。
【００２９】
図４（ａ）に示すように組み付けられた剃刀パッケージ１において環状壁１６の前壁部４及び後壁部５の吊下孔１１に水平な吊下棒３２を挿入すると、この剃刀パッケージ１は環状壁１６の上開口１８及び下開口１９を水平にした状態で吊下棒３２に吊下されて展示され、その環状壁１６に収容された各Ｔ型剃刀２０が上下方向Ｚに並ぶ。また、図４（ｂ）に示すように、右壁部２から突出する各ホルダ２３のうち最下のホルダ２３の尻部２５側には環状壁１６の下開口１９を含む面上に位置する当接部２３ａを有しているため、環状壁１６の下開口１９を載置面としてこの剃刀パッケージ１を載置台３３に載置して展示すると、その当接部２３ａも載置台３３に載置される。さらに、図４（ｃ）に示すように、環状壁１６の左壁部１５を載置面としてこの剃刀パッケージ１を載置台３３に載置して展示すると、その環状壁１６の右壁部２及び左壁部１５を水平にした状態でその環状壁１６に収容された各Ｔ型剃刀２０がホルダ２３を上向きにして環状壁１６の開口１８から開口１９に向けて並ぶ。
【００３０】
次に、本発明の第２実施形態にかかる剃刀パッケージについて第１実施形態との相違点を中心に図５（ａ）（ｂ）を参照して説明する。
剃刀パッケージ１は第１実施形態と同様であるが、Ｔ型剃刀２０が変更されている。Ｔ型剃刀２０においては、剃刀ヘッド２１がホルダ２３の頭部２４に対し付勢手段としての弾性可撓部３４を介して支持され、剃刀ヘッド２１の表側２１ａで露出する刃体（図示せず）の刃先（図示せず）の延設方向Ｘ２１に対し直交する方向を含む面Ｑに沿う方向へ剃刀ヘッド２１が首振りし得るように弾性可撓部３４が弾性力に抗して撓む。
【００３１】
次に、本発明の第３実施形態にかかる剃刀パッケージについて第１実施形態との相違点を中心に図１（ｂ）及び図６（ａ）を参照して説明する。
第１実施形態の剃刀パッケージ１において環状壁１６の前壁部４及び後壁部５に並設された各係止孔１２が変更され、その各係止孔１２は各Ｔ型剃刀２０間で長孔３５により互いに連通して一連に形成されている。
【００３２】
次に、本発明の第４実施形態にかかる剃刀パッケージについて第１実施形態との相違点を中心に図１（ｃ）及び図６（ｂ）を参照して説明する。
第１実施形態の剃刀パッケージ１において環状壁１６の前壁部４及び後壁部５に並設された各係止孔１２が省略されている。その各係止孔１２に代えて、環状壁１６の左壁部１５で重合された内側の壁部９において前後方向Ｘの両側で上下方向Ｚへ並設された各切込み３６から支持片３７が移動規制部である剃刀ヘッド係止部として右壁部２側へ向けて持ち上げられて形成され、各支持片３７のうち互いに隣接する両支持片３７の相対向側には剃刀ヘッド２１の表側２１ａを係止する表側係止部２８と剃刀ヘッド２１の裏側２１ｂを係止する裏側係止部２９とが上下方向Ｚで相対向して形成されている。
【００３３】
前記各実施形態の剃刀パッケージ１を箱に複数個まとめて収容する際には、例えば、上下両開口１８，１９を上下方向Ｚに向けた状態で複数個の剃刀パッケージ１を箱の周壁における相対向する前後両壁と左右両壁とのうち前後両壁間で前後二列に配置して左右両壁間で前後両壁に対し少し同一方向へ傾斜させて並べる。その場合、前列の各剃刀パッケージ１における左壁部１５を前壁に向けるとともに、後列の各剃刀パッケージ１における左壁部１５を後壁に向け、さらに、前列の各剃刀パッケージ１における右壁部２とその右壁部２から突出するホルダ２３とを後列の各剃刀パッケージ１間に挿入するとともに、後列の各剃刀パッケージ１における右壁部２とその右壁部２から突出するホルダ２３とを前列の各剃刀パッケージ１間に挿入する。このようにして複数個の剃刀パッケージ１を箱に収容すると、箱を小型化して輸送時に嵩張らない。
【００３４】
本実施形態は下記の効果を有する。
＊  剃刀ヘッド２１がホルダ２３に対し首振り方向Ｒへ押圧部２７の弾性力に抗して回動する複数のＴ型剃刀２０を収容する剃刀パッケージ１において、係止孔１２や支持片３７の表側係止部２８及び裏側係止部２９により剃刀ヘッド２１を挟んで、剃刀パッケージ１の運搬時等に剃刀ヘッド２１の動きを剃刀ヘッド２１ごとに規制することができる。また、係止孔１０に係入された複数のホルダ２３を係止孔１０の上端側係止部３０及び下端側係止部３１により挟んで、剃刀パッケージ１の運搬時等にホルダ２３の動きを規制することができる。従って、押圧部２７における良好な弾性を維持し、Ｔ型剃刀２０の製造当初の首振り感触を得ることができる。
【００３５】
＊  ホルダ係止部としての係止孔１０や剃刀ヘッド係止部としての係止孔１２や剃刀ヘッド係止部としての支持片３７を環状壁１６と一体に成形したので、ホルダ係止部や剃刀ヘッド係止部を簡単かつ安価に形成することができる。
【００３６】
前記実施形態以外にも例えば下記のように構成してもよい。
・  例えば特開平４−２２３８８号公報や特開平４−２２３８９号公報や特開平１１−３１９３４４号公報に示すように、剃刀ヘッドとホルダとを各種の方向へ相対移動させるようにした複数のＴ型剃刀を剃刀パッケージに収容する際、剃刀パッケージに形成した係止孔に剃刀ヘッド及びホルダを係入すれば、それらの方向への相対移動を規制することができる。
【００３７】
・  剃刀パッケージの移動規制部としては、剃刀ヘッド係止部とホルダ係止部とを剃刀ヘッド付近の壁部で一体化して形成してもよい。
・  図１（ａ）に示す剃刀ヘッド係止部としての係止孔１２と同様に、ホルダ係止部としての係止孔も別々に形成してそれぞれの係止孔にホルダ２３を係入してもよい。
【００３８】
・  Ｔ型剃刀２０としては、中立位置Ｐから剃刀ヘッド２１が回動方向Ｒの両側向きＲＦ，ＲＢへ押圧部２７の弾性力に抗して所定回動範囲だけ首振りし得るものであってもよい。
【００３９】
・  Ｔ型剃刀２０以外に、ホルダに対し剃刀ヘッドを首振りし得る長柄剃刀を収容する剃刀パッケージであってもよい。
・  剃刀ヘッド２１の刃体の刃先の延設方向Ｘ２１をホルダ２３の長手方向Ｙ２３に対し直交させたＴ型剃刀２０以外に、例えば実用新案登録第３０１６３５０号公報や実用新案登録第３１１１８３３号公報に示すようにホルダの長手方向に対し剃刀ヘッドの刃体の刃先延設方向を傾斜させたＴ型剃刀においてさらにその剃刀ヘッドを首振り可能にしたものを収容する剃刀パッケージであってもよい。
【００４０】
・  複数のシートを折って組み合わせることにより剃刀パッケージを成形したり、複数の立体部品を組み合わせることにより剃刀パッケージを成形したりしてもよい。
・  剃刀パッケージを透明または半透明にしてその外側から剃刀が見えるようにしてもよい。
【００４１】
・  環状壁１６において上開口１８及び下開口１９を閉塞できるようにしてもよい。
・  環状壁１６の形態については、四つの壁２，４，５，１５ばかりでなく、三つ以下または五つ以上の壁を設けたり、各壁間を曲面で連続させてもよい。
【００４２】
・  紙シート以外の材質例えば樹脂シートや金属箔により剃刀パッケージを成形してもよい。
【図面の簡単な説明】
【００４３】
【図１】（ａ）は第１実施形態にかかる剃刀パッケージを示す展開図であり、（ｂ）は第３実施形態にかかる剃刀パッケージを示す展開図であり、（ｃ）は第４実施形態にかかる剃刀パッケージを示す展開図である。
【図２】（ａ）は第１実施形態にかかる剃刀パッケージを図１（ａ）の展開状態から組み付ける途中状態を示す斜視図であり、（ｂ）は同じく平面図である。
【図３】（ａ）は第１実施形態にかかる剃刀パッケージを組み付けた状態を平面側から見た断面図であり、（ｂ）は同じく正面側から見た断面図である。
【図４】（ａ）は図３（ａ）（ｂ）に示す剃刀パッケージを吊下して展示した状態を示す正面図であり、（ｂ）（ｃ）は同じく載置して展示した状態を示す正面図である。
【図５】（ａ）は第２実施形態にかかる剃刀パッケージを組み付けた状態を平面側から見た断面図であり、（ｂ）は同じく正面側から見た断面図である。
【図６】（ａ）は第３実施形態にかかる剃刀パッケージを吊下して展示した状態を示す正面図であり、（ｂ）は第４実施形態にかかる剃刀パッケージを組み付けた状態を正面側から見た断面図である。
【符号の説明】
【００４４】
１…剃刀パッケージ、１０…移動規制部であるホルダ係止部としての係止孔、１２…移動規制部である剃刀ヘッド係止部としての係止孔、２０…Ｔ型剃刀、２１…剃刀ヘッド、２３…ホルダ、２４…ホルダの頭部、２７…付勢手段としての押圧部、２８…剃刀ヘッド係止部としての係止孔の表側係止部、２９…剃刀ヘッド係止部としての係止孔の裏側係止部、３７…移動規制部である剃刀ヘッド係止部としての支持片、Ｒ…剃刀ヘッドの首振り方向、Ｘ２１…刃先延設方向、Ｙ２３…ホルダの長手方向。
【図１】
2010105725.tif 000003
【図２】
2010105725.tif 000004
【図３】
2010105725.tif 000005
【図４】
2010105725.tif 000006
【図５】
2010105725.tif 000007
【図６】
2010105725.tif 000008